(57)【特許請求の範囲】
【請求項１】
第１ローラーと、
前記第１ローラーに接する第２ローラーと、
前記第２ローラーを支持すると共に、前記第２ローラーを前記第１ローラーに接触させる第１状態と、前記第２ローラーを前記第１ローラーから離間させる第２状態と、を切り換え可能なローラー支持部材と、
前記第２ローラーの回転軸線に沿って直線的に変位動作可能に設けられ、前記ローラー支持部材と係合して当該ローラー支持部材の状態切り換えを行うスライダーと、
を備え、
前記スライダーは、前記回転軸線方向に沿って延びる形状を成すとともに、前記ローラー支持部材の下側であって装置筐体の底部に設けられており、
前記回動軸線方向から見て、前記スライダーは、前記第２ローラーの前記第１状態と前記第２状態との移動範囲内の高さに配置されることを特徴とする記録装置。
【請求項２】
請求項１に記載の記録装置において、前記第１ローラーが駆動ローラーであり、前記第２ローラーは前記第１ローラーに下から接する従動ローラーであることを特徴とする記録装置。
【請求項３】
請求項１または２のいずれかに記載の記録装置において、前記スライダーは、当該スライダーをその変位方向の一方方向に付勢する状態と他方方向に付勢する状態とを切り換え可能な付勢手段によって、その変位方向の２つの位置に位置決めされることを特徴とする記録装置。
【請求項４】
請求項１乃至３のいずれかに記載の記録装置において、前記スライダーは、装置筐体の外面から操作可能であることを特徴とする記録装置。
【発明の詳細な説明】
【技術分野】
【０００１】
本発明は、被記録材を用紙搬送部に給送し駆動ローラーと従動ローラーとで挟圧して記録部に搬送する際、搬送経路途中で被記録材が残留した場合において、搬送用従動ローラーのレリース構造を利用して被記録材の排出を容易にする記録装置に関する。
【背景技術】
【０００２】
記録装置（一例としてのインクジェットプリンター）は、給送用トレイ上に載置した被記録材の一例としての用紙を一枚ずつ給送用ローラーと給送用トレイとにより挟圧して送り込む用紙給送部と、用紙給送部により給送された用紙を精密送りする用紙搬送部と、を有する。用紙搬送部を構成する駆動ローラーと従動ローラーは、用紙を挟圧し回転して記録部へ精密送りする。
【０００３】
搬送経路途中で紙ジャムが（紙詰まり）が起きると、駆動ローラーと従動ローラーとに挟み込まれた状態に残留した用紙を除去する際の作業性が低下する。このため、用紙除去の作業性を考慮し、従動ローラーを駆動ローラーからレリース（離間）させる構成が従来から採用されている。
【０００４】
例えば、特許文献１の記録装置は、搬送経路途中での用紙の残留の有無を、従動ローラーに関し、上流位置の一次検知手段と下流位置の二次検知手段とによって検知し、その検知結果に基づいて従動ローラーのレリース構造を作動させるようにした。
【先行技術文献】
【特許文献】
【０００５】
【特許文献１】特開２００５−１１２４９０号公報
【発明の概要】
【発明が解決しようとする課題】
【０００６】
しかしながら、従来において、紙ジャムが生じた際に用紙を搬送経路内から除去するために、搬送用従動ローラーを搬送用ローラーからレリースする構造は、特許文献１に示すように、搬送用従動ローラーを支持するローラー支持部材をカムで揺動することにより、両ローラーを接触させる第１状態と、離間させる第２状態とに切り換え得る構造であり、ローラー支持部材とその支持機構、及びカム等を用紙の搬送経路の上側に配置するので、高さ方向に大きな設置空間を必要としていた。
【０００７】
本発明は、このような背景技術の存在を踏まえ、現行の記録装置の抱える問題点に鑑みなされたものであって、搬送用の従動ローラーのレリース構造を利用しユーザレベルで紙ジャムが生じて残留した被記録材の除去を容易になし得ると共に、搬送用の従動ローラーを駆動ローラーから引き離す構造を設置するための空間を小さく抑えられ、装置筐体の薄型化に貢献し得る記録装置を提供することを目的としている。
【課題を解決するための手段】
【０００８】
上記課題を解決するための、本発明の第１の態様に係る記録装置は、第１ローラーと、前記第１ローラーに接する第２ローラーと、前記第２ローラーを支持すると共に、前記第２ローラーを前記第１ローラーに接触させる第１状態と、前記第２ローラーを前記第１ローラーから離間させる第２状態と、を切り換え可能なローラー支持部材と、直線的に変位動作可能に設けられ、前記ローラー支持部材と係合して当該ローラー支持部材の状態切り換えを行うスライダーとを備えたことを特徴とする。
【０００９】
本態様によれば、スライダーを直線的に変位動作させると、ローラー支持部材が第２ローラーを第１ローラーに接触させた状態になり、第１ローラーと第２ローラーとが被記録材を挟んで記録部へ搬送可能となる。そしてスライダーを他方向に直線的に変位動作させると、スライダーに係合しているローラー支持部材が第２ローラーを第１ローラーに離間させる。
【００１０】
つまり、第２ローラーを第１ローラーに対し第１状態（接触状態）と第２状態（離間状態）とに切り換えるローラー支持部材の姿勢変更を、回転系の動作を行うカムではなく、直線系の動作を行うスライダーで行うので、当該構造部分の設置スペースの高さを小さく抑えることができ、装置筐体の薄型化に貢献し得る。
【００１１】
本発明の第２の態様は、第１の態様において、前記第１ローラーが駆動ローラーであり、前記第２ローラーは前記第１ローラーに下から接する従動ローラーであることを特徴とする。  
従来においては装置筐体内の搬送部の下側にデッドスペースを有していたが、第２の態様によれば、駆動ローラーを上側、従動ローラーを下側に配置するので、上記スライダーを上記デッドスペースに配することができる。これにより、ローラー支持部材の姿勢変更を行う手段についてスライダーを用いたことと相俟って、装置筐体の一層の薄型化に貢献し得る。
【００１２】
本発明の第３の態様は、第２の態様において、前記スライダーは、前記回転軸線方向に沿って延びる形状を成すとともに、前記ローラー支持部材の下側であって装置筐体の底部に設けられていることを特徴とする。  
本態様によれば、前記スライダーは、前記回転軸線方向に沿って延びる形状を成すとともに、前記ローラー支持部材の下側であって装置筐体の底部に設けられているので、デッドスペースとなり易い装置筐体の底部を利用することで、装置筐体の一層の薄型化に貢献し得る。
【００１３】
本発明の第４の態様は、第１乃至３のいずれかの態様において、前記スライダーは、当該スライダーをその変位方向の一方方向に付勢する状態と他方方向に付勢する状態とを切り換え可能な付勢手段によって、その変位方向の２つの位置に位置決めされることを特徴とする。
【００１４】
本態様によれば、簡素な構成で、スライダーを２つの位置に位置決めすることができ、第１ローラー及び第２ローラーにより被記録材を挟んで記録部へ搬送回転する機能と、第１ローラーと第２ローラーとを離間状態に保って被記録材を除去容易な状態に保持する機能とを保障し得る。
【００１５】
本発明の第５の態様は、第１乃至４のいずれかの態様において、前記スライダーは、装置筐体の外面から操作可能であることを特徴とする。  
本態様によれば、紙ジャムが生じて残留した被記録材を排出するために、搬送部の従動ローラーを駆動ローラーから引き離す操作を、装置内部にアクセスすることなく、装置外側から容易に行うことができる。
【図面の簡単な説明】
【００１６】
【図１】本発明に係るプリンターの用紙搬送方向に沿った要部縦断面図である。
【図２】図１のプリンターの印刷時の用紙幅方向に沿ったII−II位置の要部断面図である。
【図３】図１のプリンターの紙ジャムした用紙を取り除くときの用紙幅方向に沿ったII−II位置の要部断面図である。
【図４】第２ローラーとローラー支持部材とスライダーとを含む組立体の平面図である。
【図５】図４に示す組立体の底面図である。
【図６】図４に示す組立体を底面側から見た部分拡大斜視図である。
【図７】搬送部による用紙搬送を可能に付勢手段がスライダーをロックした状態の、スライダーとスライダーガイドとローラー支持部材と付勢手段との組立体を示す部分平面図である。
【図８】図７の組立体について、紙ジャムした用紙を取り除くときの付勢手段がスライダーをロックした状態を示す部分平面図である。
【図９】図１のプリンターにおいて搬送部の紙ジャム時に用紙を取り除くときの状態を用紙幅方向から視た要部縦断面図である。
【図１０】図９におけるＸ−Ｘ断面図である。
【図１１】（Ａ）はスライダーの摘み部が装置筐体に収まっている状態を斜め上方から見た斜視図、（Ｂ）は同状態を斜め下方から見た斜視図である。
【図１２】（Ａ）はスライダーの摘み部が装置筐体から側方に引き出された状態を斜め上方から見た斜視図、（Ｂ）は同状態を斜め下方から見た斜視図である。
【図１３】スライダーの２方向のストロークエンドを保持し得る付勢手段の斜視図である。
【発明を実施するための形態】
【００１７】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００１８】
図１は本発明に係る「記録装置」の一実施形態であるインクジェットプリンター（以下「プリンター」と言う）１の要部縦断面図である。  
図１に示すように、このプリンター１は、キャリッジガイド軸３によって軸支されたキャリッジ４の下面に支持されて用紙（被記録材）Ｐにインクを吐出（噴射）して記録を行なう記録ヘッド５と、記録ヘッド５の下側対向位置に記録ヘッド５のヘッド面と用紙Ｐとの間のギャップを規定するプラテン７と、を装置筐体２内に備えている。なお、キャリッジ４にはインクカートリッジ（不図示）が装着され、キャリッジガイド軸３は図１において紙面に直交する方向（これを第１の方向とする：いわゆる主走査方向）に往復動される。
【００１９】
プリンター１は、図１において右から左の方向（これを第２の方向とする：いわゆる副走査方向）に用紙Ｐを所定の搬送量で、記録部である記録ヘッド５のヘッド面とプラテン７との間に搬送する用紙搬送動作と、記録ヘッド５を第１の方向（主走査方向）に移動させながら、記録ヘッド５から用紙Ｐにインクを噴射する動作と、を交互に繰り返すことによって用紙Ｐに記録が行われる。
【００２０】
用紙搬送部９は、上側に配置された駆動ローラーである第１ローラー１０と、下側に配置された従動ローラーである第２ローラー１１と、を含み、両ローラー１０，１１により用紙を挟圧し回転して記録部８へ精密送りする。
【００２１】
記録部８より下流側には、下側に配置された駆動ローラーである第３ローラー１３と、上側に配置された従動ローラーである第４ローラー１４と、を含み、両ローラー１３，１４により、用紙搬送部９により搬送され記録ヘッド５とプラテン７との間を通過してくる用紙を用紙搬送部９の搬送速度と同期した速度で装置外方へ排出する。
【００２２】
プリンター１は、さらに用紙搬送部９の右側斜め上方に該用紙搬送部９に向かって用紙を給送する図示しない用紙給送部を備えている。該用紙給送部は、例えば、図示しない給送用ローラーと図示しないホッパとを備えている。
【００２３】
続いて、図２はプリンター１の記録時の用紙幅方向に沿ったII−II位置の断面図、図３はプリンター１の紙ジャムした用紙を取り除くときの用紙幅方向に沿ったII−II位置の断面図である。また図４と図５は、第２ローラー１１とローラー支持部材１７とスライダー１８との組立体の平面図と底面図であり、図６は前記組立体を底面側からみた部分拡大斜視図であり、さらにスライダーガイド１９を加えた組立体の平面図が図７と図８である。
【００２４】
図６、図７では、搬送部による用紙搬送を可能に付勢手段２２がスライダー１８を保持した状態を示している。図８では、紙ジャムした用紙を取り除くときに付勢手段２２がスライダーを保持した状態を示している。図９は、搬送部で紙ジャムが生じたときに用紙を取り除くときの状態を用紙幅方向から視た要部縦断面図である。図１０は、図９におけるＸ−Ｘ断面図である。
【００２５】
図１〜図３に示すように、スライダー１８は、第２ローラー１１の軸線方向に延びる形状を成し、後述する第２ローラー１１を構成する複数の短ローラー１１ａ毎に対応して長さ方向に高さを変化させる傾斜面（後述する傾斜面２１ｂ）と該傾斜面の両端が水平面（後述する高位置水平面２１ａ及び低位置水平面２１ｃ）である直線カム２１を有し、さらに一端に摘み部１８ａを有している。
【００２６】
図１１（Ａ）はスライダー１８の摘み部１８ａが装置筐体２に収まっている状態を斜め上方から見た斜視図、図１１（Ｂ）は同状態を斜め下方から見た斜視図であり、図１２（Ａ）はスライダー１８の摘み部１８ａが装置筐体２から側方に引き出された状態を斜め上方から見た斜視図、図１２（Ｂ）は同状態を斜め下方から見た斜視図である。更に、図１３はスライダー１８の２方向のストロークエンドを保持し得る付勢手段２２の斜視図である。
【００２７】
図２、図３、図１１、図１２に示すように、スライダー１８は、摘み部１８ａが装置筐体２の下隅の底面から側面にかけて開かれた切り欠き２ｂの空間を占めるようにして、全体として装置筐体２の底面（筐体内側の底面）に密着する様に配置されている。尚、符号２ａは筐体側面を、符号２ｃは筐体下面を、それぞれ示している。
【００２８】
スライダー１８の摘み部１８ａは、紙ジャムが生じたときに第２ローラー１１を下降させて第１ローラー１０に対し離間させるために、指を掛けて引き出される。この場合の、スライダー１８の作用は後述する。
【００２９】
図７、図８に示すように、スライダーガイド１９は、下面側にスライダー１８を収容するようにして、該スライダー１８の上に被されて装置筐体２の底面２ｄにねじ(図示しない)により固定されており、スライダー１８をそのスライド方向にガイドする機能を有する。
【００３０】
図４、図５に示すように、第２ローラー１１は、複数の短ローラー１１ａが一軸線上に配列されてなる。そして位置を固定され制御用モータ(図示しない)により駆動回転される１本ローラーである第１ローラー１０に対し、複数の短ローラー１１ａが、下から接触する様に設けられる（図１，図９参照）。
【００３１】
図４〜図８に示すように、ローラー支持部材１７は、２つの短ローラー１１ａ毎に対応する様に複数設けられ、それぞれのローラー支持部材１７は２つの短ローラー１１ａを１組として両端支持する梁桁部１７ａを有している。
【００３２】
ローラー支持部材１７は、両端部が図６に示す様に軸受ブラケット１７ｃに形成された軸１７ｂに嵌合しており、これによりローラー支持部材１７は、軸１７ｂを中心にして揺動可能となっている。
【００３３】
そして、図４〜図８に示すように、各軸受ブラケット１７ｃの両側にはねじりコイルばね２３が設けられ、このねじりコイルばね２３が、短ローラー１１ａが第１ローラー１０に圧接する方向に、ローラー支持部材１７を付勢する様になっている。
【００３４】
図１〜図３、図９、図１０に示すように、さらに、ローラー支持部材１７には、梁桁部１７ａと軸１７ｂとのほぼ中間部下面よりアーム状に一体に延設された係合子２０を有している。この係合子２０は、スライダー１８に形成された、カム面が下向きである直線カム２１に対応しており、各係合子２０が対応する直線カム２１の下側に位置している。
【００３５】
直線カム２１は、低位置水平面２１ｃと、高位置水平面２１ａと、低位置水平面２１ｃと高位置水平面２１ａとを接続する傾斜面２１ｂと、を備えており、直線カム２１（即ちスライダー１８）のスライドに伴い、各係合子２０が低位置水平面２１ｃと対向（当接）し、或いは傾斜面２１ｃと対向（当接）し、或いは高位置水平面２１ａと対向する様になっている。
【００３６】
各対応する係合子２０と直線カム２１は、スライダー１８の摘み部１８ａが装置筐体２の側面に面一に引っ込んでいるときには（図１、図２、図４〜図７、図１０、図１１、図１３）、係合子２０の先端上部が直線カム２１の高位置水平面２１ａに対向していて、これにより、ローラー支持部材１７がねじりコイルばね２３により持ち上げられて第２ローラー１１を第１ローラー１０に対し接触させた状態を保障する機能を有する。尚、係合子２０は、高位置水平面２１ｃと対向するときは、高位置水平面２１ｃと接触しないことが好ましい。係合子２０が高位置水平面２１ｃと接触すると、第２ローラー１１が第１ローラー１０に圧接する際の力に影響が生じるからである。但し、係合子２０が高位置水平面２１ｃと接触していても良い。
【００３７】
そして、各対応する係合子２０と直線カム２１は、スライダー１８の摘み部１８ａが装置筐体２の側面より引き出された状態（図３、図７、図８、図９、図１２）に該スライダー１８がスライドしたときには、係合子２０が直線カム２１の傾斜面２１ｂを下降して低位置水平面２１ｃに係合する。即ち、係合子２０が直線カム２１の傾斜面２１ｂと接し、この傾斜面２１ｂによって押し下げられる。これにより、ローラー支持部材１７がねじりコイルばね２３の付勢に抗して下方に回動されて、第２ローラー１１を第１ローラー１０から離間する。
【００３８】
従って、スライダー１８は、摘み部１８ａを操作することにより、ローラー支持部材１７を上に揺動する状態と下に揺動する状態とに切り換えることができ、さらには、第２ローラー１１を第１ローラー１０に接触させる状態と、第２ローラー１１を第１ローラー１０から離間させる状態とに切り換えることができる。
【００３９】
図１３は、付勢手段２２の拡大斜視図である。付勢手段２２は、第１のブラケット２２ａと、第２のブラケット２２ｂと、圧縮コイルばね２２ｃと、ブラケット止着用ねじ２２ｄとを備えてなる。図７，図８，図１３に示すように、付勢手段２２は、装置筐体２の底部に固定されたスライダーガイド１９と、スライダー１８と、の両方に組み付けられている。
【００４０】
第１のブラケット２２ａは、スライダーガイド１９の軸１９ｃを中心に揺動可能に設けられるとともに、ブラケット止着用ねじ２２ｄによってスライダー１８と連結されている。尚、第１のブラケット２２ａとスライダー１８とは、ブラケット止着用ねじ２２ｄを中心にして相対的に回動可能となっている。スライダーガイド１９にはスライダー１８のスライド方向に沿って延びる溝穴１９ｂが形成されており、ブラケット止着用ねじ２２ｄはこの溝穴１９ｂ内を変位可能となっている。以上の構成により、スライダー１８がスライドすると、スライダー１８と第１のブラケット２２ａとの連結状態が維持されつつ、第１のブラケット２２ａが軸１９ｃを中心に揺動する。
【００４１】
次に、第２のブラケット２２ｂも、第１のブラケット２２ａと同様にブラケット止着用ねじ２２ｄを介してスライダー１８に連結されている。尚、第２のブラケット２２ｂとスライダー１８とについても、ブラケット止着用ねじ２２ｄを中心にして相対的に回動可能となっている。
【００４２】
ここで、第１のブラケット２２ａと第２のブラケット２２ｂとの間には、圧縮コイルばね２２ｃが設けられており、この圧縮コイルばね２２ｃによって、第２のブラケット２２ｂが第１のブラケット２２ａから押し返される様な力を受けている。そして、スライダー１８の摘み部１８ａが装置筐体２の側面に収容された状態（第２ローラー１１が第１ローラー１０に接触した状態）では、図７に示す様に第２のブラケット２２ｂが図７の斜め左上方向に付勢力を受けている。このため、スライダー１８には、図７の左方向の力が作用し、摘み部１８ａが装置筐体２の側面に収容された状態が安定的に維持される。
【００４３】
この状態からユーザーが摘み部１８ａを引き出し、スライダー１８をスライドさせると、図８に示す様に第２のブラケット２２ｂが受ける付勢力の方向が変化し、具体的には図８の斜め右上方向の付勢力を受ける様になる。このため、スライダー１８には、図８の右方向の力が作用し、摘み部１８ａが装置筐体２の側面から引き出された状態が安定的に維持される。以上の様に、付勢手段２２は、ブラケット止着用ねじ２２ｄの溝穴１９ｂ内におけるスライド動作領域内のおおよそ中間位置を境にして、スライダー１８を付勢する方向を切り換える。
【００４４】
上記のように、第２ローラー１１を第１ローラー１０に対し第１状態（接触状態）と第２状態（離間状態）とに切り換えるローラー支持部材１７の姿勢変更を行う手段として、円運動を行うカムではなく直線動作するスライダー１８を用いたので、当該構造部分の設置スペースの高さを小さく抑えることができ、装置筐体２の薄型化に貢献し得る。尚、本実施形態ではスライダー１８は第２ローラー１１の回転軸線方向に沿って直線的に変位動作するが、これに限られず、他の方向に直線的に変位動作する様に設けても良い。
【００４５】
また装置筐体２内の搬送部の下側にはデッドスペースが形成され易いが、本実施形態では、第１ローラー１０が駆動ローラーであり、第２ローラー１１は第１ローラー１０に下から接する従動ローラーである。すなわち、駆動ローラーである第１ローラー１０を上側、従動ローラーである第２ローラー１１を下側に配置するので、スライダー１８を上記デッドスペースに配することができる。
【００４６】
そして特に本実施形態では、スライダー１８は、第２ローラー１１の回転軸線方向に沿って延びる形状を成すとともに、ローラー支持部材１７の下側であって装置筐体２の底部に設けられているので、ローラー支持部材１７の姿勢変更を行う手段についてスライダー１８を用いたことと相俟って、装置筐体の一層の薄型化に貢献し得る。
【００４７】
また本実施形態では、スライダー１８をその変位方向の一方方向に付勢する状態と他方方向に付勢する状態とを切り換え可能な付勢手段（付勢方向切換手段）２２によって、スライダー１８がその変位方向の２つの位置に位置決めされるので、簡素な構成で、スライダー１８を２つの位置に位置決めすることができ、第１ローラー１０及び第２ローラー１１により用紙を挟んで記録部へ搬送回転する機能と、第１ローラー１０と第２ローラー１１とを離間状態に保って用紙を除去容易な状態に保持する機能とを保障し得る。
【００４８】
また本実施形態では、スライダー１８は、装置筐体２の外面から操作可能である構成としたので、紙ジャムが生じて残留した用紙Ｐを除去するために、第２のローラー１１を第１のローラー１０から引き離す操作を、装置内部にアクセスすることなく、装置外側から容易に行うことができる。
【符号の説明】
【００４９】
１  プリンター、２  装置筐体、２ａ  筐体側面、２ｂ  切り欠き、２ｃ  筐体下面、２ｄ  筐体底面、３  キャリッジガイド軸、４  キャリッジ、５  記録ヘッド、６  インクカートリッジ、７  プラテン、８  記録部、９  用紙搬送部、１０  第１ローラー、１１  第２ローラー、１１ａ  短ローラー、１０  第１ローラー、１１  第２ローラー、１３  第３ローラー、１４  第４ローラー、１７  ローラー支持部材、１７ａ  梁桁部、１７ｂ  軸、１７ｃ  軸受ブラケット、１８  スライダー、１８ａ  摘み部、１９  スライダーガイド、１９ｂ  長孔、１９ｃ  軸、２０  係合子、２１  直線カム、２１ａ  高位置水平面、２１ｂ  傾斜面、２１ｃ  低位置水平面、２２  付勢手段、２２ａ  第１のブラケット、２２ｂ  第２のブラケット、２２ｃ  圧縮コイルばね、２２ｄ  ブラケット止着用ねじ、２３  ねじりコイルばね
【図１】
0005953912.tif 000002
【図２】
0005953912.tif 000003
【図３】
0005953912.tif 000004
【図４】
0005953912.tif 000005
【図５】
0005953912.tif 000006
【図６】
0005953912.tif 000007
【図７】
0005953912.tif 000008
【図８】
0005953912.tif 000009
【図９】
0005953912.tif 000010
【図１０】
0005953912.tif 000011
【図１１】
0005953912.tif 000012
【図１２】
0005953912.tif 000013
【図１３】
0005953912.tif 000014